(57)【要約】【課題】コンパクトでありながら、高い集光効率を有する太陽光集光用の光学系と、簡素な構成で太陽を追尾できる太陽光集光システムを提供する。【解決手段】太陽光を、集光レンズＬ１により大きなＮＡで一旦集光した後、発散レンズＬ２よってＮＡを小さくして、導光系である光ファイバーや光ファイバーバンドルに入射させる。これにより、最終入射光束をＮＡ０．２〜０．３以下にしながら、集光位置の差Δだけ、光学系の長さを短くすることができ、採光システム全体の筐体厚みを薄くすることができるので、小型軽量にできかつ安価にすることができる。【選択図】図１
2014035803.tif 000002
【特許請求の範囲】
【請求項１】
屋外から屋内へ導光する導光系の受光部に対して太陽光を集光する光学系において、太陽側より順に、第１光学系と第２光学系とからなり、前記第１光学系が集光レンズからなり、前記第２光学系が発散レンズからなることを特徴とする太陽光集光用の光学系。
【請求項２】
前記集光レンズはフレネルレンズであることを特徴とする請求項１に記載の太陽光集光用の光学系。
【請求項３】
前記受光部に、熱伝導率が１００Ｗ／ｍＫ以上の材料による突起を設けたことを特徴とする請求項１または２に記載の太陽光集光用の光学系。
【請求項４】
前記導光系は、単一の光ファイバーもしくは複数本の光ファイバーを束ねてなる光ファイバーバンドルを含むことを特徴とする請求項１〜３のいずれかに記載の太陽光集光用の光学系。
【請求項５】
前記光ファイバーまたは前記光ファイバーバンドルの外周に、熱伝導率が１００Ｗ／ｍＫ以上の材料による突起を設けたことを特徴とする請求項４に記載の太陽光集光光学系。
【請求項６】
前記第２光学系は、前記光ファイバーもしくは前記光ファイバーバンドルと結合していることを特徴とする請求項４または５に記載の太陽光集光用の光学系。
【請求項７】
前記第２光学系と、前記光ファイバーもしくは前記光ファイバーバンドルとの間に、赤外線透過を抑制する部材を介在させたことを特徴とする請求項６に記載の太陽光集光用の光学系。
【請求項８】
前記光学系を複数個並べたことを特徴とする請求項１〜７のいずれかに記載の太陽光集光用の光学系。
【請求項９】
屋外から屋内へ導光する複数の導光系の受光部に対して太陽光を集光する複数の光学系と、
前記複数の光学系をリンクで接続し、同一方向に傾くように駆動する駆動機構と、を有することを特徴とする太陽光集光システム。
【請求項１０】
請求項１〜８のいずれかに記載の光学系を複数設けるとともに、前記複数の光学系をリンクで接続し、同一方向に傾くように駆動する駆動機構を有することを特徴とする太陽光集光システム。
【請求項１１】
前記駆動機構は、蓄電手段と、該蓄電手段により前記光学系を駆動する駆動源とを有し、少なくとも前記蓄電手段と前記駆動源は、前記光学系を全体的に覆う筐体内に収容されていることを特徴とする請求項９または１０に記載の太陽光集光システム。
【請求項１２】
前記筐体の上面および一部の側面は、光透過性の素材から形成されていることを特徴とする請求項９〜１１のいずれかに記載の太陽光集光システム。
【請求項１３】
前記筐体の上面のみが光透過性の素材から形成され、前記太陽光集光システムを取り付けたときに、前記上面は水平面に対して傾いていることを特徴とする請求項９〜１１のいずれかに記載の太陽光集光システム。
【発明の詳細な説明】
【技術分野】
【０００１】
本発明は、太陽光を電気などに変換することなく、直接光を屋内に導くことで、高効率かつ安価で半永久的に安定した屋内照明を実現する太陽光集光用の光学系および太陽光集光システムに関するものである。
【背景技術】
【０００２】
省エネ等の観点から、太陽光を室内照明に利用する技術が注目されている。このような技術として、太陽光を集光して光学系を介して導光する光ダクトが既に実用化されている。これは固定開口で太陽光を受け入れて、内面の高反射壁で反射を繰り返しながら太陽光を伝送し、所望の位置で光ダクトから射出して照明光として利用するものである。これにより、地下駐車場や北側の通路など、日中でも暗い人の通り道などの照明を電気などのエネルギーを投入せずに安価に照明する手段として実用化されている。
【０００３】
しかしながら、時間経過に伴い太陽の日動によって高度が変わり、固定開口に対する入射角が大きくなると、採り入れられる光束量が低下する。固定開口における入射角度による入射光量の依存性は、いかなる光学系を持ってしても避けられない（エタンデュの原理による）ため、このような固定開口のダクトでは、太陽高度の変化により、採り入れられる太陽光量が大きく変化し、安定した光量の照明光が得られないという致命的な欠陥があった。
【０００４】
一方、独立行政法人新エネルギー・産業技術総合開発機構（ＮＥＤＯ）のプロジェクトでは、太陽に対して常に採光光学系の光軸を追尾させて一定とする方式が研究されている。この方式の場合、採光量は太陽高度に依存せず、安定かつ高効率に採光が可能となる反面、太陽を追尾するために大がかりな２軸機構を必要とし、太陽光の広い受光面を常に太陽に向けるため、風などの影響を受けやすく、そのため追尾機構に高強度が求められ、さらに大きく重い、高価な構成となっていた。
【０００５】
また、特許文献１には、一般家屋に設置できるよう、ドーム内に設置した多数のレンズを回転機台に載置して、太陽に追尾するように回転移動させる太陽光採光装置が開示されている。しかしながら、これを一般家屋の屋根に設置するためには、暴風雨などの際に屋根にかかる強度を考慮して、その受光面積を小型にせざるを得ず、このような受光面積が小さな形態では十分な太陽光を採光することはできないため、屋内で利用できる照明光は暗く、他の電灯などの補助照明を必要とするのが常であった。
【０００６】
従って、従来の一般家屋向けの追尾型太陽光集光光学系は、照明と言うよりは「屋内への太陽光の通過を少量許容する」という程度の位置づけであり、廊下や玄関などあまり明るさを必要としない場所で、かつ通過する場所に設置されるのが普通であり、高価なためほとんど普及には至っていなかった。
【先行技術文献】
【特許文献】
【０００７】
【特許文献１】特開平０９−２７０２０４号公報
【発明の概要】
【発明が解決しようとする課題】
【０００８】
本発明者らは、これらの従来の状況に鑑みて、一般家屋へ太陽光による十分な太陽光量を得て直接照明を実現するには、以下の技術思想が鍵を握ることに思い至った。
（ａ）固定開口による採光ではエタンデュの法則により採光光量に限界があるので、十分な採光量で安定照明を行うには、太陽追尾が必須である。
（ｂ）十分な太陽光量を得るには広い採光面積が必要であり、かつ一般家屋の屋根に設置するには、コンパクトな構成であって、風雨に強くかつ施工が容易な平板形状が好ましい。
（ｃ）光伝送は、ダクトのような屋根裏に高価で大きな工事を必要としない、柔軟性に富んだ細いケーブルによる方式が好ましい。
（ｄ）追尾の駆動は出来る限り簡素とし、駆動エネルギーは自立して得ることでシステムを完全密閉化して風雨から守り、駆動機構および駆動電気システムの信頼性を格段に向上することが好ましい。
【０００９】
本発明は、上述の知見に基づきなされたものであり、コンパクトでありながら、高い集光効率を有する太陽光集光用の光学系と、簡素な構成で太陽を追尾できる太陽光集光システムを提供することを目的とする。
【課題を解決するための手段】
【００１０】
請求項１に記載の太陽光集光用の光学系は、屋外から屋内へ導光する導光系の受光部に対して太陽光を集光する光学系において、太陽側より順に、第１光学系と第２光学系とからなり、前記第１光学系が集光レンズからなり、前記第２光学系が発散レンズからなることを特徴とする。
【００１１】
東京農工大学機械システム秋澤研究室では、太陽光からより多くの太陽エネルギーを得るために、太陽エネルギー利用システムの開発を行っている（ＵＲＬ：ｈｔｔｐ：／／ｗｗｗ．ｔｕａｔ．ａｃ．ｊｐ／〜ａｋｉｌａｂ／％Ｅ５％Ａ４％ＡＡ％Ｅ９％９９％ＢＤ％Ｅ３％８２％Ａ８％Ｅ３％８３％８Ｄ％Ｅ３％８３％ＡＢ％Ｅ３％８２％ＡＥ％Ｅ３％８３％ＢＣ．ｈｔｍｌ）。この太陽エネルギー利用システムでは、集光フレネルレンズの第１光学系と、さらに曲面とした集光フレネルレンズの第２光学系を用いることで、強い集光力により光学系の厚みを薄くしている。しかしながら、この従来の光学系では集光光束のＮＡが増加して、導光系としての光ファイバーや光ファイバーバンドルで受光しても、大半の光が反射して中へ入射せず、採光効率が著しく低下するという問題がある。また、このように従来の集光光学系では、一般家屋の屋根に載せても負荷が少なく、追尾機構も大型化しないように厚み方向を薄くするには限界があった。これに対し、本発明の光学系によれば、集光効率を確保しながら、よりコンパクトな構成を実現できる。
【００１２】
図１は、本発明の原理を説明するための図である。図１（ａ）の比較例にかかる光学系は、単一の集光レンズＬからなり、図１（ｂ）の本発明にかかる光学系は、第１光学系である集光レンズＬ１と、第２光学系である発散レンズＬ２からなる。ここで、例えば導光系として光ファイバーや光ファイバーバンドルを用いた場合、集光効率を高く確保するためには、開口数ＮＡが最大でも０．２〜０．３程度（集光角にして２３〜３５°）にする必要がある。尚、開口数ＮＡはｎ・ｓｉｎθ（ただしｎ＝１．０）で表せる。
【００１３】
これに対し図１（ｂ）に示すように、太陽光を、集光レンズＬ１により大きなＮＡで一旦集光した後、発散レンズＬ２よってＮＡを小さくして、導光系である光ファイバーや光ファイバーバンドルに入射させる。これにより、最終入射光束をＮＡ０．２〜０．３以下にしながら、集光位置の差Δだけ、光学系の長さを短くすることができ、採光システム全体の筐体厚みを薄くすることができるので、小型軽量にできかつ安価にすることができる。特に、太陽光採光システムは極めて簡素な構造であるため、筐体が占めるコストは全体の20〜30%と大きく、筐体を軽量且つコンパクトにまとめ上げることは、コストを下げシステムの普及に大きな影響を与えるため、本発明は有効である。
【００１４】
本発明者らの検討結果によれば、図１（ａ）に示す単一の集光レンズＬの口径が直径２００ｍｍとすると、集光レンズＬから集光点Ｐまでの距離は、４９０〜３２０ｍｍとほぼ２倍の距離が必要となって、大型の採光装置が必要になる。これに対し、図１（ｂ）に示す光学系を用いると、図１（ａ）と同じ口径であっても、発散レンズＬ２を介することで、集光レンズＬ１から集光点Ｐまでの距離は250mmと短くなり、よりコンパクトな採光装置を提供できるのである。尚、「集光レンズ」、「発散レンズ」は、1枚のレンズに限られず、複数のレンズ群からなるものでもよい。
【００１５】
請求項２に記載の太陽光集光用の光学系は、請求項１に記載の発明において、前記集光レンズはフレネルレンズであることを特徴とする。
【００１６】
従来は太陽光採光光学系にテレタイプ光学系が存在しなかった。本発明のテレタイプ光学系の少なくとも前記集光レンズとしてフレネルレンズを用いることで、安価かつ軽量のため追尾の駆動機構の負荷を小さくでき、そのため簡素な機構でも十分な耐久性を持たせることができ、高信頼性と低コストを両立して実現できる。また前記集光レンズとしてフレネルレンズを用いることで、より薄型の構成を実現できる。尚、フレネルレンズとは、片面が平面のみならず、球面もしくは非球面であるものも含む。
【００１７】
請求項３に記載の太陽光集光用の光学系は、請求項１または２に記載の発明において、前記受光部に、熱伝導率が１００Ｗ／ｍＫ以上の材料による突起を設けたことを特徴とする。
【００１８】
太陽光を照明として利用する場合は、可視光のみを利用するため赤外線や紫外線は不要光となる。これらは、接続する受光部前面に反射フィルターを用いたり、第１光学系や第２光学系に吸収剤を含有させたり反射コートを施すことで、減少させることができる。しかしながら、それでも集光光学系によって集光された太陽光によって、受光部の温度は２００℃程度には上昇する。そのため、光ファイバーや光ファイバーバンドルなどの受光素子が熱により変形したり特性が劣化することが生じる恐れがある。
【００１９】
そこで、前記受光部の周りに熱伝導率の高い（１００Ｗ／ｍＫ以上の）材料で突起（例えば放熱フィン）を形成することで空冷を促進し、それにより上述の不具合を抑制し、前記受光部の温度を許容温度以下に抑えることができるのである。熱伝導率が高い材料としては、銅（４００Ｗ／ｍＫ）、アルミ合金（２００Ｗ／ｍＫ）、あるいはＣＦＲＰ（カーボンファイバー強化樹脂：１００〜８００Ｗ／ｍＫ）などがある。突起（放冷フィン）の表面積を増やしてより冷却効率を増すことは、既存技術を容易に転用することで実現できる。尚、ここで言う「突起」とは、縦横の寸法がいずれも厚みよりも大きいフィルムや板状であっても良いし、縦横の寸法が厚みより小さい針状であっても良い。受光部の形態に対して、突起となっていればその形状は問わない。
【００２０】
請求項４に記載の太陽光集光用の光学系は、請求項１〜３のいずれかに記載の発明において、前記導光系は、単一の光ファイバーもしくは複数本の光ファイバーを束ねてなる光ファイバーバンドルを含むことを特徴とする。
【００２１】
前記導光系として光ファイバーもしくは光ファイバーバンドルを用いると、集光した太陽光を導光する際に、屈曲した空間内でも導光が可能で、屋内の狭い空間にも容易に設置でき、また光ファイバーの可僥性を利用することで、集光部分を太陽に追従させることが用意であるため、高い照度の照明を得やすい一方で、建物に対する制約を小さく出来るといったメリットがある。尚、「光ファイバー」とは、少なくともコアとクラッドとを有するものをいい、素材はプラスチック、ガラスであってよい。「光ファイバーバンドル」とは、複数本の光ファイバーを束ねて周囲を樹脂等で覆ったものをいう。
【００２２】
請求項５に記載の太陽光集光用の光学系は、請求項４に記載の発明において、前記光ファイバーまたは前記光ファイバーバンドルの外周に、熱伝導率が１００Ｗ／ｍＫ以上の材料による突起を設けたことを特徴とする。
【００２３】
従来は、光ファイバーや光ファイバーバンドルは通信や照明ライトガイドとしての用途が中心であり、その中を広帯域且つ高強度な光束を通過させる例もなく、従って光ファイバーや光ファイバーバンドルが自ら発熱する例はほとんど無く、その冷却方法など考慮する必要がなかった。ところが、本発明が対象としている太陽光採光照明の用途では、太陽光の可視域だけを通しても非常に大きな光量のため、伝送に用いる光ファイバー材料のわずかな光吸収によっても光ファイバーが加熱される可能性がある。
【００２４】
本発明者らの検討結果によれば、口径２００ｍｍの集光レンズで集光した光を、一本の光ファイバーに結合させた場合では、単位長さ当たり数Ｗ程度の損失が発生する。従って、何ら冷却をしない場合は、光ファイバーや光ファイバーバンドルの温度は室温環境でも７０℃を越える可能性があり、屋内天井裏など６０℃近い環境温度下で配線されている場合には、樹脂製や液体光ファイバーの許容温度（７０〜９０℃程度）を越える可能性がある。
【００２５】
特に、太陽光伝送路で非常に重要なことは、一旦何らかの伝送不良が発生し加熱が始まると、そこでの太陽光吸収がさらに進むためさらに加熱が進行し、一種の熱暴走が発生して光伝送が完全に断ち切られたり、漏光が発生し思わぬ場所を加熱する恐れが生じる点である。したがって、導光系も十分冷却し温度上昇を抑える工夫をすることが、実用的な応用には必須である。そこで、前記光ファイバーまたは前記光ファイバーバンドルの周りに熱伝導率の高い（１００Ｗ／ｍＫ以上の）材料で突起（例えば放熱フィン）を形成することで空冷を促進し、それにより上述の不具合を抑制し、前記受光部の温度を許容温度以下に抑えることができるのである。熱伝導率が高い材料は、前述したように銅（４００Ｗ／ｍＫ）、アルミ合金（２００Ｗ／ｍＫ）、あるいはＣＦＲＰ（カーボンファイバー強化樹脂：１００〜８００Ｗ／ｍＫ）などがある。尚、ここで言う「突起」は、縦横の寸法がいずれも厚みよりも大きいフィルムや板状であっても良いし、縦横の寸法が厚みより小さい針状であっても良い。光ファイバーや光ファイバーバンドルのケーブル状の形態に対して、突起となっていればその形状は問わない。
【００２６】
請求項６に記載の太陽光集光用の光学系は、請求項４または５に記載の発明において、前記第２光学系は、前記光ファイバーもしくは前記光ファイバーバンドルと結合していることを特徴とする。
【００２７】
前記第２光学系に直接、前記光ファイバーまたは前記光ファイバーバンドルを結合することで、以下のメリットが得られる。
（ａ）空気界面を減らして反射損失を数％減少する
（ｂ）最も集光した部位が空気にさらされないので、ホコリなどの汚れが付かず、それが焼けたりすることがない。
（ｃ）集光点である光ファイバーや光ファイバーバンドルの採光端で発生する熱に対して、第２光学系へ直接熱伝導が行われるので、冷却効果が期待できる。
【００２８】
請求項７に記載の太陽光集光用の光学系は、請求項６に記載の発明において、前記第２光学系と、前記光ファイバーもしくは前記光ファイバーバンドルとの間に、赤外線透過を抑制する部材を介在させたことを特徴とする。
【００２９】
前記第２光学系と、前記光ファイバーや前記光ファイバーバンドルとの間に、赤外線透過を抑制する部材（例えば赤外反射フィルター等）を挟むことで、光学素子が一体化でき、空気界面数を1/2以下に低減できるので、採光効率が１０％程向上する可能性がある。尚、紫外線透過を抑制する部材を介在させてもよい。
【００３０】
請求項８に記載の太陽光集光用の光学系は、請求項１〜７のいずれかに記載の発明において、前記光学系を複数個並べたことを特徴とする。
【００３１】
これにより、１つの集光光学系の口径を小さくし、一つの導光系が伝送する光強度を低減して、導光系の温度上昇を抑えながらも明るい屋内照明を提供できる。
【００３２】
請求項９に記載の太陽光集光システムは、
屋外から屋内へ導光する複数の導光系の受光部に対して太陽光を集光する複数の光学系と、
前記複数の光学系をリンクで接続し、同一方向に傾くように駆動する駆動機構と、を有することを特徴とする。
【００３３】
図２は、本発明の原理を説明するための図である。ただし、本発明は図２の例に限られない。図２において、家屋の屋根などに設置され、上面がガラスＧＬで覆われたボックス状の筐体ＢＸ内に、光学系としてのフレネルレンズＦＬがアレイ状に並べて配置されている。フレネルレンズＦＬは、紙面垂直方向に延在する軸ＳＴにより筐体ＢＸにより回転可能に支持されており、更にフレネルレンズＦＬに固定された垂直リンクＬＫ１が設けられている。垂直リンクＬＫ１の下端同士は、水平リンクＬＫ２により枢動可能に連結されている。フレネルレンズＦＬの集光位置には、光ファイバーＯＦの上端（受光部）が配置されている。光ファイバーＯＦの下端は、屋内に引き込まれ、不図示の照明装置に接続されている。
【００３４】
図中、最も左側の軸ＳＴには、駆動源であるモータＭＴの回転軸が連結されている。モータＭＴは、制御装置ＣＯＮＴにより駆動制御される。太陽電池ＰＶから生じた電力を大容量キャパシタＣＰで蓄積しており、その電力で制御装置ＣＯＮＴが動作するようになっている。
【００３５】
ガラスＧＬを介して筐体ＢＸ内に進入した太陽光ＳＬは、フレネルレンズＦＬに入射し、光ファイバーＯＦの上端に集光され、ここから光ファイバーＯＦ内に進入し、これを介して屋内の照明装置に導光されて、適切な照明を行うようになっている。
【００３６】
更に、太陽は時間とともに位置が変わるので、それに合わせてフレネルレンズＦＬが追尾する。より具体的には、ガラスＧＬを介して筐体ＢＸ内に進入した太陽光ＳＬの一部が、太陽電池ＰＶに入射し、電気エネルギーを発生させる。この電気エネルギーは、大容量キャパシタＣＰに蓄積され、それにより制御装置ＣＯＮＴがモータＭＴを駆動制御して、１５°／時間の遅い速度でフレネルレンズＦＬを軸ＳＴ回りに回転させる。一つのフレネルレンズＦＬの回転は、垂直リンクＬＫ１と水平リンクＬＫ２を介して、他のリンクＬＫ１，ＬＫ２を変位させ、これにより全てのフレネルレンズＦＬは，同じ角度で傾くので、時間とともに変位する太陽に正対した状態を維持することができるようになっている。
【００３７】
請求項１０に記載の太陽光集光システムは、請求項１〜８のいずれかに記載の光学系を複数設けるとともに、前記複数の光学系をリンクで接続し、同一方向に傾くように駆動する駆動機構を有することを特徴とする。
【００３８】
これにより、図２に示す構成よりも、よりコンパクトな構成を提供できる。
【００３９】
請求項１１に記載の太陽光集光システムは、請求項９または１０に記載の発明において、前記駆動機構は、蓄電手段と、該蓄電手段により前記光学系を駆動する駆動源とを有し、少なくとも前記蓄電手段と前記駆動源は、前記光学系を全体的に覆う筐体内に収容されていることを特徴とする。
【００４０】
これにより、前記筐体によって少なくとも前記蓄電手段と前記駆動源と前記光学系を、屋外環境から保護することができる。尚、蓄電手段は、広義の電池やキャパシタ等を含む。
【００４１】
請求項１２に記載の太陽光集光システムは、請求項９〜１１のいずれかに記載の発明において、前記筐体の上面および一部の側面は、光透過性の素材から形成されていることを特徴とする。
【００４２】
これにより、日中のみならず、朝夕の時間帯でも、有効に太陽光を受光することができる。
【００４３】
請求項１３に記載の太陽光集光システムは、請求項９〜１１のいずれかに記載の発明において、前記筐体の上面のみが光透過性の素材から形成され、前記太陽光集光システムを取り付けたときに、前記上面は水平面に対して傾いていることを特徴とする。
【００４４】
これにより、日中のみならず、朝夕の時間帯でも、有効に太陽光を受光することができる。
【００４５】
本発明によれば、筐体の中で個々の光学系を回動させて行うため、光学系が直接風雨にさらされることがなく、かつ駆動系も負荷が少ないので、リンク等の簡素な構成で確実かつ長寿命に駆動機構を作ることが容易である。駆動機構の電源は、太陽電池により太陽光発電から得た電荷を、電気２重層やリチウムイオンなどの高容量キャパシタに充電し、制御回路を経てモーター駆動を行うことができる。これらの駆動機構および電源や制御装置は、全て筐体内に収まっているため、風雨に直接さらされることがなく、極めて安定した状況で高い信頼性の元に機能する。
【００４６】
駆動機構は、一つのモーターを１５°／時間程度の極めて遅い速度で動かし、リンクで繋がれた他の光学系も連動して同じ回動動作を行うことが望ましい。機械設計的には、わずか１２０度往復の回動を密閉筐体の中で毎日１０年間続けて行っても、延べで２５００回転程にしかならず、しかも極めて遅い速度で駆動する事から、ほとんど壊れることが無いほど負荷が小さいと言える。
【００４７】
さらに、太陽電池を用いれば電源が完全に自立しているので、停電時にも問題なく動作し、また一般家屋に設置する際も、筐体を固定し、採光した太陽光を伝送する導光系として光ファイバーまたは光ファイバーバンドルを接続するだけで良い。太陽追尾は、光学系にフォトセンサーを取り付けて、最も明るい方向を向くように制御しても良く、設置場所の緯度と時間、屋根の傾角方向を入力すると、制御部が有する時計によって追尾角度が算出され、追尾を行う方式であっても良い。後者であれば、曇天や天候不良の時にも正確に太陽の方向を追尾するので、探すために電力を消耗することが無い。
【００４８】
追尾に使われる電力は、前述したように極めて微小なので、経年的に容量劣化が進む信頼性の低い２次電池の代わりに、より信頼性の高い高容量キャパシタを使うことができ、システム全体の信頼性も高めることが出来る。
【００４９】
本発明の太陽光集光光学系は、できるだけ薄い形態によって、風雨の影響を受けにくく、かつ大面積で屋根や屋上などへ設置を容易とし、その結果、十分な太陽光が採り入れられ、有り余る採光量を伝送過程で調節することによって、太陽の高度や方位、天候の変化に係わらず安定しかつ安価な照明を得ることができる。
【発明の効果】
【００５０】
本発明によれば、コンパクトでありながら、高い集光効率を有する太陽光集光用の光学系と、簡素な構成で太陽を追尾できる太陽光集光システムを提供することができる。
【図面の簡単な説明】
【００５１】
【図１】本発明の原理を説明するための図であり、（ａ）は比較例の光学系を示し、（ｂ）は本発明の一例にかかる光学系を示す。
【図２】本発明の原理を説明するための図であり、（ａ）は太陽の位置が真上にあるときの太陽光集光システムの状態を示し、（ｂ）は太陽の位置が真上にあるときの太陽光集光システムの状態を示す。
【図３】本実施の形態にかかる太陽光利用型照明装置を建物に取り付けた状態を示す概略図である。
【図４】第１の実施の形態にかかる太陽光集光システムの概略断面図であり、（ａ）は太陽の位置がガラスGL面に対して真上にあるときの状態を示し、（ｂ）は太陽の位置が斜めにあるときの状態を示す。
【図５】光ファイバーバンドルＦＢの上端（受光部）を拡大して示す図である。
【図６】光ファイバーバンドルＦＢの一部を示す斜視図である。
【図７】比較例にかかる太陽光集光システムを示す図４と同様な図である。
【図８】変形例にかかる太陽光集光システムを示す図４（ａ）と同様な図である。
【図９】第２の実施の形態にかかる太陽光集光システムの概略斜視図である。
【図１０】変形例にかかる光学系を示す図である。
【発明を実施するための形態】
【００５２】
以下、添付した図面を参照しながら、本発明の実施形態を説明する。なお、図面の寸法比率は、説明の都合上誇張され、実際の比率とは異なる場合がある。
【００５３】
（第１の実施の形態）
図３は、本実施の形態にかかる太陽光集光システムを建物に取り付けた状態を示す概略図である。図１において、建物１の屋根１ａには、太陽光集光システム２が設けられ、建物１の天井１ｂには、照明部３が設けられている。太陽光集光システム２と照明部３とを、複数の光ファイバーバンドルＦＢが導光可能に連結している。照明部３は、光ファイバーバンドルＦＢにより導光された太陽光ＳＬを、不図示の拡散板で拡散させた後、照明光として出射するようになっている。
【００５４】
図４は、太陽光集光システム２の概略断面図である。図４において、上面がガラスＧＬで覆われたボックス状の筐体ＢＸ内に、集光レンズとしてのフレネルレンズＦＬがアレイ状に並べて配置されている。フレネルレンズＦＬの、下方には発散レンズとしての負レンズＬ２が設けられている。フレネルレンズＦＬと負レンズＬ２とで光学系を構成する。フレネルレンズＦＬは、紙面垂直方向に延在する軸ＳＴにより筐体ＢＸにより回転可能に支持されており、更にフレネルレンズＦＬおよび負レンズＬ２に固定された垂直リンクＬＫ１が下方に延在している。垂直リンクＬＫ１の下端同士は、水平リンクＬＫ２により枢動可能に連結されている。フレネルレンズＦＬおよび負レンズＬ２の集光位置には、光ファイバーＯＦの上端（受光部）が配置されている。光ファイバーバンドルＦＢの下端は、図３に示すように建物１内に引き込まれ、照明部３に接続されている。
【００５５】
図４中、最も左側の軸ＳＴには、駆動源であるモータＭＴの回転軸が連結されている。モータＭＴは、制御装置ＣＯＮＴにより駆動制御される。太陽電池ＰＶから生じた電力を大容量キャパシタＣＰで蓄積しており、その電力で制御装置ＣＯＮＴが動作するようになっている。
【００５６】
図５は、光ファイバーバンドルＦＢの上端（受光部）を拡大して示す図である。図５において、光ファイバーバンドルＦＢは複数の光ファイバーＯＦを束ねて、周囲を樹脂ＰＬで固めたものである。光ファイバーバンドルＦＢの上端近傍には、熱伝導率が１００Ｗ／ｍＫ以上の材料による複数のフィンＦＮ（突起）を放射状に設けている。フィンＦＮは金属製であると好ましいが、カーボンファイバー等でもよい。これにより、受光部の冷却効果を高めることができる。
【００５７】
図６は、光ファイバーバンドルＦＢの一部を示す斜視図であるが、受光部のフィンは省略している。図６において、光ファイバーバンドルＦＢを挟むようにして、熱伝導率が１００Ｗ／ｍＫ以上である突起としての２枚の銅箔テープＴＰを貼り合わせている。銅箔テープＴＰの大面積で放熱を行うことで、光ファイバーバンドルＦＢの冷却効果を高めることができる。
【００５８】
本実施の形態の動作を説明すると、図４において、ガラスＧＬを介して筐体ＢＸ内に進入した太陽光ＳＬは、フレネルレンズＦＬに入射し、光ファイバーバンドルＦＢの上端に集光され、ここから各光ファイバーＯＦ内に進入し、これを介して建物１内の照明部３に導光されて、適切な照明を行うようになっている。
【００５９】
更に、太陽は時間とともに位置が変わるので、それに合わせてフレネルレンズＦＬが追尾する。より具体的には、ガラスＧＬを介して筐体ＢＸ内に進入した太陽光ＳＬの一部が、太陽電池ＰＶに入射し、電気エネルギーを発生させる。この電気エネルギーは、大容量キャパシタＣＰに蓄積され、それにより制御装置ＣＯＮＴがモータＭＴを駆動制御して、１５°／時間の遅い速度でフレネルレンズＦＬを軸ＳＴ回りに回転させる。一つのフレネルレンズＦＬの回転は、垂直リンクＬＫ１と水平リンクＬＫ２を介して、他のリンクＬＫ１，ＬＫ２を変位させ、これにより全てのフレネルレンズＦＬは，同じ角度で傾くので、時間とともに変位する太陽に正対した状態を維持することができるようになっている。
【００６０】
図７は、比較例にかかる太陽光集光システムを示す図２と同様な図である。ただし、本例では、フレネルレンズＦＬは、筐体ＢＸに対して軸支されておらず、互いに連結されて水平方向に移動可能に支持されている。またフレネルレンズＦＬのアレイは、モータＭＴに連結したボールねじ機構ＢＳにより水平方向に駆動されるようになっている。それ以外の構成は上述した例と同様である。
【００６１】
図７の比較例は、太陽光ＳＬの入射角に応じて、フレネルレンズＦＬと受光部との位置関係を変えることで受光量を確保するようにしたものだが、本実施の形態の回動式に比べると以下の２つの大きな課題を持っており、それ故採光効率に難がある。
（ａ）太陽高度が低くなって浅い角度の斜入射となったとき、光学系の焦点形状が崩れるため採光効率が大幅に低下する。  
（ｂ）同様の状況で、フレネルレンズで全反射が発生し、入射光束の一部が受光部に達しないため、大幅に採光効率が低下する。
従って、本実施の形態が優れているといえる。
【００６２】
また、図１（ａ）に示すように光学系が単一レンズであると、受光部の採光効率が高いＮＡを満たすには焦点位置が長くなり、その結果、太陽光集光システム２全体が厚く大型になり、筐体ＢＸなどに使用する材料が増えて重くなり高価となる。太陽光集光システム２は極めて簡素な構造であるため、筐体が占めるコストは全体の２０〜３０％と大きく、筐体ＢＸを軽量低コストにまとめ上げることが重要である。
【００６３】
これに対し、本実施の形態によれば、光学系を集光レンズと発散レンズとから構成したので、図１を参照して説明したように、光学系の全長を４０％程短くすることができ、その分筐体ＢＸの厚みを薄くすることができる。そのため、筐体ＢＸのコストだけでなく、一般家屋の屋根上への設置作業が容易となるので、施工作業費も低減することができ、より普及を促進できる。
【００６４】
更に本実施の形態によれば、光ファイバーバンドルＦＢの受光部に、熱伝導率が高い材料によってフィンＦＮを取り付け、放冷を促進して温度上昇を抑えることができる。実際に、口径２００ｍｍのフレネルレンズを用いて、Φ１ｍｍの光ファイバーを１２本バンドルしてその受光部に集光させたところ、受光部手前にＵＶカットおよび赤外カットフィルターを用いても、常温下で端面温度は１３０℃まで上昇し、樹脂材料の光ファイバーの耐熱限界を超えるため、石英等の光ファイバーを用いるか、もしくは樹脂製の光ファイバーを用いる場合には遮光カーテン等で入射光を制限する必要があることが判明し、これに伴いコスト高や効率の低下を招く恐れがあることがわかった。
【００６５】
一方、本実施の形態の放冷フィンとして、異方性ピッチによるＣＦＲＰを用いて３２枚のフィンＦＮを、光ファイバーバンドルＦＢの受光部に放射状に取り付けたところ、同じ条件下で１１０℃まで低下した。さらに、小型のファンを回して弱い風をフィンＦＮに送ったところ、８５℃まで温度を低減でき、光ファイバーとしては、高価な石英製や多成分ガラスを用いることなく、安価な樹脂製が使えることがわかった。これにより、極めて柔軟性に富み施工が容易で安価な樹脂製光ファイバーや光ファイバーバンドルに太陽光採光を入射させることができるようになる。
【００６６】
更に、太陽光伝送に用いる光ファイバーバンドルＦＢの外周に、熱伝導率が高い銅箔テープＴＰを設け、微弱な発熱をテープに伝導させ、テープの大きな表面積で放熱を促進して温度上昇を抑えることができる。本発明者らの検討結果によれば、前述の条件で、室温２５℃下で４０℃程に上昇した樹脂製光ファイバーの温度が、銅箔テープの挟み込みにより３２℃まで低減し、６０℃程度の環境温度でも自然放冷だけで９０℃以下に留まることがわかった。また、非常に弱い風をフィンに送ることで、さらに５℃程度低下させることが可能であったので、小型のモーター等を使ってわずかな風量の空気流を起こせば、確実に温度上昇を抑制できることがわかった。
【００６７】
本実施の形態においては、太陽光の伝送にダクトなどを用いずに、柔軟性が高く施工容易な光ファイバーや光ファイバーバンドルを用いるので、この長所を活かせるように放冷フィンＦＮや銅箔テープＴＰについても可塑性の富んだ柔軟な構造でかつ施工容易であることが好ましい。
【００６８】
図８は、本実施の形態の変形例にかかる図４（ａ）と同様な図である。本例においては、筐体ＢＸの上面のみならず側面まで、ガラスＧＬにより覆っている。太陽光照明における、単なるＬＥＤ照明などの代替とは異なる最大の特徴は、太陽の動きを感じられる「太陽光らしい照明」という点である。これが顕著に発揮されるのは朝日であり、朝日において最も太陽光らしさが顕されるので、太陽光照明では朝日を取り込み照明として用いることが望ましい。
【００６９】
本実施の形態による太陽光集光システムは、個々のフレネルレンズＦＬが回動することにより太陽を追尾するが、地平線に近い朝日を採光するには、東からほぼ水平に入射する光線を補足できなければならない。従って、上述した実施の形態では、筐体ＢＸの側面が朝日を遮ってしまうので採光に支障を来す。これに対して本例によれば、筐体ＢＸの側面までガラスＧＬで覆うことで、内部の部材を外部環境から保護しつつ、早朝にも太陽光を取り込むことが可能となる。
【００７０】
尚、水平に近い光束を捉えられるのは、アレイ状に並んだフレネルレンズＦＬのうち最も東に並んでいる一列のみであり、他のフレネルレンズＦＬはこの影となるので朝日を捕捉することができない。従って、筐体ＢＸの東側面の上半部程度、ちょうどフレネルレンズＦＬの開口の大きさだけ透明化すれば、朝日を捉えることができることとなる。
【００７１】
しかし、筐体ＢＬの東側面を透明化することは、筐体ＢＸの部品点数が増え、製作時間がかかるためコストが高くなる。前述したように、全体コストに対する筐体コストが占める割合は大きい。そこで、筐体ＢＸの東側面を透明化するのではなくそのままとして、上面のガラスＧＬを東側に傾斜させて、朝日が筐体ＢＸ内に入り込むようにすることで、部品の数はそのままでコストを押さえながら同等の効果が期待できる。東方向への傾斜は、屋根への取り付けで傾斜角度を付ける方法と、筐体形状で傾斜を付けておく方法が考えられるが、どちらでも良いし両方を合わせても良い。筐体形状に傾斜をつける方法は、西側が厚くならないようにすると、せいぜい数度程度のため、前者の方が効果が大きいといえる。これらにより、朝の太陽光を採光することが可能となり、屋内に照明されることで太陽光らしい照明が実現でき、住人の体内時計の校正や活力を喚起する照明が実現できる。
【００７２】
（第２の実施の形態）
太陽は、時間とともに方角が変わり且つ高さも変わる。従って、１軸の回転では、十分に太陽を追尾できない恐れがある。これに対し太陽追尾の２軸駆動は、例えば図９に示すような第２の実施の形態にかかる太陽光集光システムで実現できる。図９において、列ごとに並んだ光学系をフレームＦＲに対して軸ＳＴ１により回転可能に支持する。また、各フレームＦＲは、軸ＳＴに直交する軸ＳＴ２により回転可能に支持する。軸ＳＴ１，軸ＳＴ２は、それぞれ上述したようにリンクで連結することにより、連動して回転させることができるから、２つのモータのみで２軸駆動が可能になる。
【００７３】
また、この例では追尾に必要な電力を賄う太陽電池ＰＶを、一つの光学系（フレネルレンズ）から置き換えて配置することで、他の光学系と同様に太陽を追尾することができ、高い光電変換効率を維持して高効率に電力を得ることができる。さらに、太陽電池ＰＶの前面にも集光光学系を配置して、高効率光電変換素子により発電することによって、光学系に、駆動系用と採光用とを区別を付ける必要が無くなり、製造プロセスが共有化されるので、より作りやすく安価になる。このような２軸駆動機構が、カバーガラスで遮蔽された筐体内で風雨に晒されることなく配置され、簡素で安価な構成ながら高い信頼性で追尾駆動することができる。
【００７４】
図１０は、上述した実施の形態に対する光学系の変形例を示す図である。本例では、第２光学系である発散レンズＬ２を光ファイバーＯＦ（光ファイバーバンドルでもよい）の上端に結合している。このように、発散レンズＬ２に直接光ファイバーＯＦ（または光ファイバーバンドル）を結合することで、以下のメリットが得られる。
（ａ）発散レンズＬ２と光ファイバーＯＦ間の空気界面を減らして反射損失を数％減少することができる。
（ｂ）最も集光したところが空気にさらされないので、ホコリなどの汚れが付かず、それが焼けたりすることがない。
（ｃ）集光点である光ファイバーや光ファイバーバンドルの採光端で発生する熱に対して、第２光学系へ直接熱伝導が行われるので、冷却効果が期待できる。
【００７５】
尚、赤外線カットフィルターや紫外線カットフィルターＦＴを，発散レンズＬ２と光ファイバーＯＦ間の間に介在させつつ結合してもよい。これにより、光ファイバーＯＦに進入する赤外線や紫外線の量を減少させることができる。
【００７６】
本発明は、明細書に記載の実施例に限定されるものではなく、他の実施例・変形例を含むことは、本明細書に記載された実施例や思想から本分野の当業者にとって明らかである。明細書の記載及び実施例は、あくまでも例証を目的としており、本発明の範囲は後述するクレームによって示されている。
【符号の説明】
【００７７】
１            建物
１ａ            屋根
１ｂ            天井
２            太陽光集光システム
３            照明部
ＢＳ            ボールねじ機構
ＢＸ            筐体
ＣＯＮＴ          制御装置
ＣＰ            大容量キャパシタ
ＦＢ            光ファイバーバンドル
ＦＬ            フレネルレンズ
ＦＮ            フィン
ＦＲ            フレーム
ＦＴ            赤外線または紫外線カットフィルター
ＧＬ            ガラス
Ｌ１            集光レンズ
Ｌ２            発散レンズ
ＬＫ１            垂直リンク
ＬＫ２            水平リンク
ＭＴ            モータ
ＯＦ            光ファイバー
ＰＬ            樹脂
ＰＶ            太陽電池
ＳＬ            太陽光
ＳＴ            軸
ＳＴ１            軸
ＳＴ２            軸
ＴＰ            銅箔テープ
【図１】
2014035803.tif 000003
【図２】
2014035803.tif 000004
【図３】
2014035803.tif 000005
【図４】
2014035803.tif 000006
【図５】
2014035803.tif 000007
【図６】
2014035803.tif 000008
【図７】
2014035803.tif 000009
【図８】
2014035803.tif 000010
【図９】
2014035803.tif 000011
【図１０】
2014035803.tif 000012